(57)【要約】  【課題】  認証情報の登録又は管理を容易にする認証装置を提供する。  【解決手段】  サービス管理サーバ２０（認証装置）は、ユーザから、宿泊施設の客室番号に対応付けて、このユーザの携帯電話の電話番号を認証情報として受け付けて、客室番号及び電話番号を認証情報として登録する。サービス管理サーバ２０は、客室番号及び電話番号が登録されていることを条件として、ユーザからデータファイルの登録を受け付け、登録されたデータファイルの印刷処理をプリンタ４０に指示する。印刷すべきデータファイルの特定は、ユーザに固有の電話番号に基づくため、他のユーザにより登録されたデータファイルが印刷されることはない。【選択図】図４
2008117183.tif 000002
【特許請求の範囲】
【請求項１】
同時に複数のユーザに利用されうる第１の識別情報に対応付けて、各ユーザに固有の第２の識別情報の入力を受け付ける入力受付手段と、
前記入力受付手段により入力が受け付けられた第１の識別情報及び第２の識別情報を対応付けて登録する識別情報登録手段と、
ユーザから認証要求がなされた場合に、前記識別情報登録手段によりこのユーザの第２の識別情報が第１の識別情報に対応付けて登録されているか否かに基づいて、認証の成否を判定する判定手段と
を有する認証装置。
【請求項２】
ユーザは、第１の識別情報が含まれた被写体を撮影し、撮影された画像データをユーザ端末で送信し、
前記入力受付手段は、ユーザ端末から受信した画像データに含まれる第１の識別情報に対応付けて、このユーザ端末の固有情報を前記第２の識別情報として受け付ける
請求項１に記載の認証装置。
【請求項３】
前記判定手段は、課金対象となるサービスを提供するユーザに関して、認証の成否を判定し、
前記第１の識別情報は、前記サービスに対する決済処理に用いられる
請求項１に記載の認証装置。
【請求項４】
前記第１の識別情報は、ユーザが使用する空間に対して割り当てられた識別情報であり、
前記判定手段は、空間を使用するユーザが利用可能なサービスに関して、認証の成否を判定する
請求項１又は３に記載の認証装置。
【請求項５】
印刷対象となるデータファイルを前記第１の識別情報又は前記第２の識別情報に対応付けて管理するファイル管理手段
をさらに有し、
前記判定手段は、ユーザの第２の識別情報が第１の識別情報に対応付けて前記識別情報登録手段により登録されている場合に、この第１の識別情報又はこの第２の識別情報に対応付けて前記ファイル管理手段により管理されているデータファイルの印刷を許可する
請求項１に記載の認証装置。
【請求項６】
前記判定手段により許可された印刷処理に応じて、課金情報を生成し、前記第１の識別情報に対応付ける課金情報生成手段
をさらに有する請求項５に記載の認証装置。
【請求項７】
同時に複数のユーザに利用されうる第１の識別情報に対応付けて、各ユーザに固有の第２の識別情報の入力を受け付ける入力受付手段と、
前記入力受付手段により入力が受け付けられた第１の識別情報及び第２の識別情報を対応付けて登録する識別情報登録手段と、
ユーザから印刷要求がなされた場合に、前記識別情報登録手段によりこのユーザの第２の識別情報が第１の識別情報に対応付けて登録されているか否かに基づいて、認証の成否を判定する判定手段と、
前記判定手段による判定結果に応じて、画像を形成する画像形成装置と
を有する画像形成システム。
【請求項８】
同時に複数のユーザに利用されうる第１の識別情報に対応付けて、各ユーザに固有の第２の識別情報の入力を受け付けるステップと、
入力された第１の識別情報及び第２の識別情報を対応付けて登録するステップと、
ユーザから認証要求がなされた場合に、このユーザの第２の識別情報が第１の識別情報に対応付けて登録されているか否かに基づいて、認証の成否を判定するステップと
をコンピュータに実行させるプログラム。
【発明の詳細な説明】
【技術分野】
【０００１】
本発明は、認証装置、画像形成システム及びそのプログラムに関する。
【背景技術】
【０００２】
例えば、特許文献１には、携帯電話のメールアドレスに対応させて印刷すべき文書を登録し、携帯電話からの印刷指示にしたがって印刷すべき文書を指定された出力先に送信するドキュメント配信装置が開示されている。
また、特許文献２には、プリンタが、携帯電話機からコンテンツ情報及び認証情報を受信し、コンテンツ情報によって特定されるコンテンツの内容を印刷データとしてインターネットを介して読み取り、受信した認証情報を付与して格納し、コネクタを介して接続された携帯電話機から認証情報を含む印刷命令が入力されると、印刷命令に含まれる認証情報に一致する認証情報が付与された印刷データについての印刷処理を実行する印刷システムが開示されている。
また、特許文献３には、携帯電話システムとの間で接続され、当該携帯システムで用いられるデータ送受信プロトコルを制御するインターフェースプロトコル制御部と、インターフェースプロトコル制御部を介して携帯電話システムとの間で送受信されるデータを解析するネット処理制御部と、ネット処理制御部の解析結果が携帯電話システムからの処理指示である場合には印刷指示を行う処理指示部とからなるプリンタ装置が開示されている。
また、特許文献４には、ファイルサーバーから受信した暗号化ファイルを復号して印刷可能な形式に変換し、携帯電話から近距離無線によって印刷指示を受けると印刷が行われるシステムが開示されている。
【特許文献１】特開２００４−４６８４３号公報
【特許文献２】特開２００２−２５９０９９号公報
【特許文献３】特開２００１−２９０６１５号公報
【特許文献４】特開２００２−３６６３１４号公報
【特許文献５】特開２００４−３３４３２３号公報
【発明の開示】
【発明が解決しようとする課題】
【０００３】
本発明は、上述した背景からなされたものであり、認証情報の登録又は管理を容易にする認証装置を提供することを目的とする。
【課題を解決するための手段】
【０００４】
［認証装置］
上記目的を達成するために、本発明にかかる認証装置は、同時に複数のユーザに利用されうる第１の識別情報に対応付けて、各ユーザに固有の第２の識別情報の入力を受け付ける入力受付手段と、前記入力受付手段により入力が受け付けられた第１の識別情報及び第２の識別情報を対応付けて登録する識別情報登録手段と、ユーザから認証要求がなされた場合に、前記識別情報登録手段によりこのユーザの第２の識別情報が第１の識別情報に対応付けて登録されているか否かに基づいて、認証の成否を判定する判定手段とを有する。
【０００５】
好適には、ユーザは、第１の識別情報が含まれた被写体を撮影し、撮影された画像データをユーザ端末で送信し、前記入力受付手段は、ユーザ端末から受信した画像データに含まれる第１の識別情報に対応付けて、このユーザ端末の固有情報を前記第２の識別情報として受け付ける。
【０００６】
好適には、前記判定手段は、課金対象となるサービスを提供するユーザに関して、認証の成否を判定し、前記第１の識別情報は、前記サービスに対する決済処理に用いられる。
【０００７】
好適には、前記第１の識別情報は、ユーザが使用する空間に対して割り当てられた識別情報であり、前記判定手段は、空間を使用するユーザが利用可能なサービスに関して、認証の成否を判定する。
【０００８】
好適には、印刷対象となるデータファイルを前記第１の識別情報又は前記第２の識別情報に対応付けて管理するファイル管理手段をさらに有し、前記判定手段は、ユーザの第２の識別情報が第１の識別情報に対応付けて前記識別情報登録手段により登録されている場合に、この第１の識別情報又はこの第２の識別情報に対応付けて前記ファイル管理手段により管理されているデータファイルの印刷を許可する。
【０００９】
好適には、前記判定手段により許可された印刷処理に応じて、課金情報を生成し、前記第１の識別情報に対応付ける課金情報生成手段をさらに有する。
【００１０】
［画像形成システム］
また、本発明にかかる画像形成システムは、同時に複数のユーザに利用されうる第１の識別情報に対応付けて、各ユーザに固有の第２の識別情報の入力を受け付ける入力受付手段と、前記入力受付手段により入力が受け付けられた第１の識別情報及び第２の識別情報を対応付けて登録する識別情報登録手段と、ユーザから印刷要求がなされた場合に、前記識別情報登録手段によりこのユーザの第２の識別情報が第１の識別情報に対応付けて登録されているか否かに基づいて、認証の成否を判定する判定手段と、前記判定手段による判定結果に応じて、画像を形成する画像形成装置とを有する。
【００１１】
［プログラム］
また、本発明にかかるプログラムは、同時に複数のユーザに利用されうる第１の識別情報に対応付けて、各ユーザに固有の第２の識別情報の入力を受け付けるステップと、入力された第１の識別情報及び第２の識別情報を対応付けて登録するステップと、ユーザから認証要求がなされた場合に、このユーザの第２の識別情報が第１の識別情報に対応付けて登録されているか否かに基づいて、認証の成否を判定するステップとをコンピュータに実行させる。
【発明の効果】
【００１２】
請求項１にかかる発明は、認証情報の管理を容易にする。
請求項２にかかる発明は、認証情報の登録を容易にする。
請求項３にかかる発明は、サービスの提供に伴う決済情報の管理を容易にする。
請求項４にかかる発明は、宿初施設等の利用者に対して、サービスを提供しやすくする。
請求項５にかかる発明は、認証に成功したユーザにのみ、このユーザが登録したデータファイルの印刷サービスを提供することができる。
請求項６にかかる発明は、印刷サービスの課金処理を容易にする。
請求項７にかかる発明は、印刷サービスの認証処理で用いる認証情報の管理を容易にする。
請求項８にかかる発明は、認証情報の管理を容易にする。
【発明を実施するための最良の形態】
【００１３】
［システム構成］
まず、画像形成システム１の全体構成を説明する。
図１は、画像形成システム１の構成を例示する図である。
図１に例示するように、画像形成システム１は、携帯電話１２、コンピュータ端末１４、サービス管理サーバ２０、課金サーバ３０、及びプリンタ４０を有する。
携帯電話１２は、サービス（本例ではプリントサービス）の提供を受けるユーザが利用する携帯端末であり、例えば、撮影機能を有する。
コンピュータ端末１４は、サービスの提供を受けるユーザが利用するコンピュータであり、例えば、モバイルコンピュータである。
【００１４】
サービス管理サーバ２０は、サービスの提供者が管理するサーバ装置であり、本例では、ユーザ認証機能及びデータファイル管理機能を有する。
課金サーバ３０は、サービスの提供者が管理するサーバ装置であり、本例では、サービスに対する課金管理機能を有する。
プリンタ４０は、サービス（プリントサービス）を提供する提供者の画像形成装置であり、本例では、サービス管理サーバ２０から受信したデータファイルを印刷する。なお、本例では、２つのプリンタ４０Ａ及び４０Ｂが設けられた形態を具体例として説明するが、プリンタ４０の個数はこれに限定されるものではない。
【００１５】
本例では、サービス管理サーバ２０、課金サーバ３０及びプリンタ４０が、宿泊施設内に予め設置され、ＬＡＮで接続されている。そして、宿泊施設を利用するユーザは、自己のコンピュータ端末１４を宿泊施設内に持ち込んで、この宿泊施設のＬＡＮに接続することができる。なお、本例では、コンピュータ端末１４、サービス管理サーバ２０、課金サーバ３０及びプリンタ４０がＬＡＮで接続されるが、これに限定されるものではなく、インターネット等の他の通信回線を介して接続されてもよい。
また、本例の携帯電話１２は、電話回線、近距離通信回線、又はインターネット等の通信回線を介して、サービス管理サーバ２０にアクセスすることができる。
【００１６】
［プリントサービスプログラム］
図２は、サービス管理サーバ２０（図１）により実行されるプリントサービスプログラム５の機能構成を例示する図である。
図２に例示するように、プリントサービスプログラム５は、入力受付部５００、識別情報登録部５０５、識別情報データベース（識別情報ＤＢ）５１０、及び認証部５１５を含む認証モジュール５０と、ファイル管理部５５０、ファイルデータベース（ファイルＤＢ）５５５、印刷指示部５６０、及び課金情報生成部５６５を含むサービス提供モジュール５５とを有する。
プリントサービスプログラム５は、例えば、ＣＤ−ＲＯＭ等の記録媒体に記録されており、この記録媒体を介してサービス管理サーバ２０にインストールされる。
なお、識別情報ＤＢ５１０及びファイルＤＢ５５５は、プログラムの一部として説明したが、実際には、サービス管理サーバ２０の記憶領域と、この記憶領域を管理するソフトウェアとで実現される機能モジュールである。
【００１７】
プリントサービスプログラム５において、入力受付部５００は、同時に複数のユーザに利用されうる第１の識別情報に対応付けて、各ユーザに固有の第２の識別情報の入力を受け付け、入力された第１の識別情報及び第２の識別情報を互いに対応付けた状態で識別情報登録部５０５に出力する。第１の識別情報とは、例えば、各ユーザが割り当てられた空間の識別情報（客室番号など）、又は、サービスの利用権限又は利用料を管理するための識別情報（利用者に配布されるカードキーの番号など）である。また、第２の識別情報とは、例えば、各ユーザが利用する電話の電話番号、又は、各ユーザが所有するコンピュータの識別情報（ＭＡＣアドレスなど）である。
本例の入力受付部５００は、客室番号に対応する二次元バーコードの画像データを第１の識別情報として受け付け、ユーザの携帯電話１２（図１）の電話番号を第２の識別情報として受け付ける。
【００１８】
識別情報登録部５０５は、入力受付部５００から入力された第１の識別情報及び第２の識別情報を互いに対応付けて識別情報ＤＢ５１０に登録する。
本例の識別情報登録部５０５は、入力受付部５００から客室番号（第１の識別情報）及び電話番号（第２の識別情報）が入力されると、これらの組合せを一意に特定するユーザＩＤ、及び、課金情報を管理するための課金ＩＤを生成し、図３（Ａ）に例示するように、生成されたユーザＩＤ、課金ＩＤ、客室番号及び電話番号を識別情報ＤＢ５１０の識別情報テーブル５１２に登録し、生成されたユーザＩＤを携帯電話１２（図１）に通知し、生成された課金ＩＤを課金サーバ３０（図１）に通知する。
【００１９】
識別情報ＤＢ５１０は、識別情報登録部５０５により登録された情報（ユーザＩＤ、課金ＩＤ、客室番号及び電話番号）を識別情報テーブル５１２として記憶し、要求に応じて、これらの情報を提供する。
【００２０】
認証部５１５は、ユーザから認証要求がなされた場合に、このユーザの第２の識別情報（電話番号）が第１の識別情報（客室番号）に対応付けて登録されているか否かに基づいて、認証を行い、認証結果を通知する。
例えば、認証部５１５は、ユーザの電話番号が客室番号に対応付けて登録されている場合に、認証成功を通知し、ユーザの電話番号が客室番号に対応付けて登録されていない場合に、認証失敗を通知する。
本例の認証部５１５は、データファイルの登録を受け付けるときには、ファイル管理部５５０を介して、ユーザからユーザＩＤを取得し、取得されたユーザＩＤが識別情報ＤＢ５１０に登録されているか否かに基づいて、認証を行う。ユーザＩＤが登録されている場合には、ユーザの電話番号及び客室番号が登録されていることになるので、認証成功となり、ユーザＩＤが登録されていない場合には、ユーザの電話番号及び客室番号が登録されていないことになるので、認証失敗となる。
また、本例の認証部５１５は、データファイルの印刷要求を受け付けるときには、ファイル管理部５５０を介して、ユーザから電話番号を取得し、取得された電話番号が客室番号及びユーザＩＤの少なくとも一方に対応付けて識別情報ＤＢ５１０に登録されているか否かに基づいて、認証を行う。
【００２１】
ファイル管理部５５０は、ユーザから受け付けたデータファイルを客室番号（第１の識別情報）又は電話番号（第２の識別情報）に対応付けて管理し、ユーザからデータファイルの印刷が要求された場合に、認証部５１５による認証結果に応じて、このデータファイルを印刷するよう印刷指示部５６０に出力する。
本例のファイル管理部５５０は、ユーザのコンピュータ端末１４からデータファイルの登録を要求されると、認証部５１５に認証要求を行い、認証部５１５の認証結果に応じて、このデータファイルをユーザＩＤに対応付けてファイルＤＢ５５５に登録する。その際に、ユーザは、印刷枚数及び用紙サイズなどの印刷条件を指定することができ、ファイル管理部５５０は、ユーザが指定した印刷条件もユーザＩＤに対応付けてファイルＤＢ５５５に登録する。
また、本例のファイル管理部５５０は、ユーザの携帯電話１２からデータファイルの印刷を要求されると、認証部５１５に認証要求を行い、認証部５１５の認証結果に応じて、ファイルＤＢ５５５に登録されているデータファイル及び印刷条件の中から、ユーザの電話番号（すなわち、ユーザＩＤ）に対応するデータファイル及び印刷条件を読み出し、読み出されたデータファイル及び印刷条件を印刷指示部５６５に出力する。
【００２２】
ファイルＤＢ５５５は、図３（Ｂ）に例示するように、ファイル管理部５５０から登録されたデータファイル及び印刷条件をユーザＩＤに対応付けて記憶し、要求に応じて、データファイル及び印刷条件をファイル管理部５５０に出力する。
【００２３】
印刷指示部５６０は、ファイル管理部５５０から入力されたデータファイル及び印刷条件をプリンタ４０（図１）に送信して、データファイルの印刷を指示する。
本例の印刷指示部５６０は、ファイル管理部５５０を介して、ユーザからプリンタ４０を識別するプリンタＩＤを取得し、取得されたプリンタＩＤに対応するプリンタ４０（プリンタ４０Ａ又はプリンタ４０Ｂ）に対して、ファイル管理部５５０から入力されたデータファイル及び印刷条件を送信する。
【００２４】
課金情報生成部５６５は、印刷指示部５６０の指示によりなされた印刷処理に応じて、課金情報を生成し、生成された課金情報を客室番号（第１の識別情報）に対応付けて課金サーバ３０に送信する。
本例の課金情報生成部５６５は、プリンタ４０（図１）でなされた印刷処理に応じて、課金情報を生成し、生成された課金情報（利用明細など）を課金ＩＤ及び客室番号に対応付けて課金サーバ３０（図１）に送信する。課金サーバ３０は、課金情報生成部５６５から受信した課金情報、課金ＩＤ及び客室番号に基づいて、図３（Ｃ）に例示する課金テーブル３００を作成し、各ユーザのサービス利用料金などを算出する。
【００２５】
［全体動作］
まず、ユーザがデータファイルを登録するまでのシステム全体の動作を説明する。
図４は、ファイル登録処理（Ｓ１０）のシーケンス図である。
図４に示すように、ステップ１００（Ｓ１００）において、ユーザは、客室に置いてある客室用案内パンフレット８０をカメラ付き携帯電話１２で撮影する。この客室用案内パンフレット８０には、図６（Ａ）に例示するように、この客室の客室番号を示すニ次元バーコード８００が表示されている。
ステップ１０４（Ｓ１０４）において、ユーザは、携帯電話１２で撮影された二次元バーコード８００の画像データをサービス管理サーバ２０に送信する。
【００２６】
ステップ１０８（Ｓ１０８）において、サービス管理サーバ２０（入力受付部５００）は、携帯電話１２から受信した画像データから客室番号を特定し、特定された客室番号と、この携帯電話１２の電話番号とを互いに対応付ける。
そして、サービス管理サーバ２０（識別情報登録部５０５）は、ユーザから入力された客室番号及び電話番号に対して、ユーザＩＤ及び課金ＩＤを生成し、生成されたユーザＩＤ、課金ＩＤ、ユーザの客室番号及び電話番号を識別情報ＤＢ５１０に登録する。
【００２７】
ステップ１１２（Ｓ１１２）において、サービス管理サーバ２０（識別情報登録部５０５）は、生成された課金ＩＤに対応付けてユーザＩＤ、客室番号及び電話番号等のユーザ情報を課金サーバ３０に送信する。
ステップ１１６（Ｓ１１６）において、課金サーバ３０は、サービス管理サーバ２０からユーザ情報（課金ＩＤ、ユーザＩＤ、客室番号及び電話番号等）を受信すると、このユーザに対する料金体系を設定する。
ステップ１２０（Ｓ１２０）において、課金サーバ３０は、設定された料金体系の情報をユーザＩＤに対応付けてサービス管理サーバ３０（識別情報登録部５０５及び課金情報生成部５６５）に送信する。
【００２８】
ステップ１２４（Ｓ１２４）において、サービス管理サーバ２０（識別情報登録部５０５）は、生成されたユーザＩＤなどを示すユーザＩＤ通知画面９０のデータを生成し、生成されたユーザＩＤ通知画面８０のデータを携帯電話１２に送信する。
ステップ１２８（Ｓ１２８）において、携帯電話１２は、サービス管理サーバ２０から受信したデータに基づいて、ユーザＩＤ通知画面９０を表示する。このユーザＩＤ通知画面９０には、図６（Ｂ）に例示するように、プリントサービスを提供するウェブサイトのＵＲＬ９００と、このユーザに割り当てられたユーザＩＤ９０２とが表示されている。
【００２９】
ステップ１３２（Ｓ１３２）において、ユーザは、プリントサービスを利用するために、携帯電話１２に表示されたＵＲＬ９００（図６（Ｂ））を、コンピュータ端末１４のウェブブラウザに入力し、プリントサービスのウェブサイトにアクセスする。
サービス管理サーバ２０は、ユーザのコンピュータ端末１４からのアクセスに応答して、図７（Ａ）に例示するユーザＩＤ入力画面９２をコンピュータ端末１４のウェブブラウザに表示させる。このユーザＩＤ入力画面９２には、ユーザＩＤを入力すべきＩＤ入力欄９２０と、入力されたユーザＩＤをサービス管理サーバ２０に送信するための送信ボタン９２２とが設けられている。
ステップ１３６（Ｓ１３６）において、ユーザは、コンピュータ端末１４を操作して、携帯電話１２に表示されたユーザＩＤを、このユーザＩＤ入力画面９２のＩＤ入力欄９２０に入力し、サービス管理サーバ２０に送信する。
【００３０】
ステップ１４０（Ｓ１４０）において、サービス管理サーバ２０（認証部５１５）は、ユーザのコンピュータ端末１４から受信したユーザＩＤが登録されているか否か（すなわち、識別情報ＤＢ５１０に記憶されているか否か）を確認し、登録されている場合には、認証成功と判断して、Ｓ１４４の処理に移行し、ユーザＩＤが登録されていない場合には、認証失敗と判断して、エラー表示をコンピュータ端末１４に表示させる。
【００３１】
ステップ１４４（Ｓ１４４）において、サービス管理サーバ２０は、課金サーバ３０から受信した料金体系の情報に基づいて、図７（Ｂ）に例示するサービス案内画面９４のデータを生成し、生成されたデータをコンピュータ端末１４に送信し、サービス案内画面９４を表示させる。このサービス案内画面９４には、図７（Ｂ）に例示するように、プリントサービスの料金体系の他に、サービス提供に同意するための同意ボタン９４０と、サービス提供を拒否するための取り消しボタン９４２とが設けられている。
ステップ１４８（Ｓ１４８）において、ユーザは、コンピュータ端末１４に表示されたサービス案内画面９４を閲覧して、プリントサービスを利用するか否かを判断し、同意ボタン９４０又は取り消しボタン９４２を選択する。
同意ボタン９４０が選択されると、サービス管理サーバ２０は、これを検知して、Ｓ１５２の処理に移行する。
【００３２】
ステップ１５２（Ｓ１５２）において、サービス管理サーバ２０は、図８に例示するサービス提供画面９６のデータをコンピュータ端末１４に送信して、サービス提供画面９６をコンピュータ端末１４に表示させる。
サービス提供画面９６には、図８に例示するように、登録したいデータファイルを選択するデータファイル選択欄９６０と、用紙サイズ、用紙の向き、両面印刷の要否、及びＮ−ＵＰ印刷の要否などの印刷条件を指定する印刷条件設定欄９６２と、選択されたデータファイルを登録するための印刷登録ボタン９６４と、処理をキャンセルするためのキャンセルボタン９６６とが設けられている。ここで、Ｎ−ＵＰ印刷とは、複数の画像（Ｎページ分の画像）を１枚の用紙に印刷する処理である。
【００３３】
ステップ１５６（Ｓ１５６）において、ユーザは、コンピュータ端末１４を操作して、サービス提供画面９６において、登録すべきデータファイルを選択し、このデータファイルの印刷に用いる印刷条件を指定する。
ステップ１６０（Ｓ１６０）において、ユーザが印刷登録ボタン９６４を選択すると、コンピュータ端末１４は、データファイル及び印刷条件をサービス管理サーバ２０に送信する。
【００３４】
ステップ１６４（Ｓ１６４）において、サービス管理サーバ２０（ファイル管理部５５０）は、ユーザのコンピュータ端末１４から受信したデータファイル及び印刷条件をユーザＩＤに対応付けてファイルＤＢ５５５に登録する。
【００３５】
次に、登録されたデータファイルを印刷し課金するときのシステム全体の動作を説明する。
図５は、ファイル印刷処理（Ｓ２０）のシーケンス図である。
図５に示すように、ステップ２００（Ｓ２００）において、ユーザは、複数のプリンタ４０のうち、利用したいプリンタ４０の前まで来て、このプリンタ４０に表示されたバーコードをカメラ付き携帯電話１２で撮影する。このプリンタ４０には、例えば、図９（Ａ）に例示するプリンタ案内表示８２が設けられており、このプリンタ案内表示８２には、このプリンタを識別するプリンタＩＤのニ次元バーコード８２０が表示されている。
ステップ２０４（Ｓ２０４）において、ユーザは、携帯電話１２で撮影された二次元バーコード８２０の画像データ（プリンタＩＤが含まれたデータ）をサービス管理サーバ２０に送信する。
【００３６】
ステップ２０８（Ｓ２０８）において、サービス管理サーバ２０（認証部５１５）は、ユーザがプリンタＩＤを送信する時に利用した携帯電話１２の電話番号に基づいて、印刷処理に関する認証処理を行う。認証処理は、例えば、この電話番号が客室番号又はユーザＩＤに対応付けて登録されているか否かによりなされる。
サービス管理サーバ２０は、この認証処理に成功すると（すなわち、電話番号が登録されている場合）、Ｓ２１２の処理に移行し、認証に失敗した場合に、携帯電話１２にエラー表示を表示させて処理を終了する。
【００３７】
ステップ２１２（Ｓ２１２）において、サービス管理サーバ２０（ファイル管理部５５０）は、ユーザの電話番号（すなわち、ユーザＩＤ）に対応するデータファイル及び印刷条件を、ファイルＤＢ５５５から読み出す。
ステップ２１６（Ｓ２１６）において、サービス管理サーバ２０（印刷指示部５６０）は、携帯電話１２から受信したニ次元バーコード８２０の画像データに基づいて、プリンタＩＤを特定し、特定されたプリンタＩＤのプリンタ４０に対して、ファイルＤＢ５５５から読み出されたデータファイル及び印刷条件を送信する。
【００３８】
ステップ２２０（Ｓ２２０）において、プリンタ４０は、サービス管理サーバ２０から受信した印刷条件に従って、サービス管理サーバ２０から受信したデータファイルを印刷する。
ステップ２２４（Ｓ２２４）において、プリンタ４０は、印刷処理が終了すると、印刷が終了した旨をサービス管理サーバ２０に送信する。
【００３９】
ステップ２２８（Ｓ２２８）において、サービス管理サーバ２０は、プリンタ４０から印刷処理が終了した旨を受信すると、この印刷処理で印刷されたデータファイルをファイルＤＢ５５５から削除する。
ステップ２３２（Ｓ２３２）において、サービス管理サーバ２０（課金情報生成部５６５）は、課金サーバ３０から受信した料金体系（Ｓ１２０で受信したもの）と、印刷条件（用紙サイズなど）とに基づいて、料金及び利用明細などが含まれた課金情報を生成する。
【００４０】
ステップ２３６（Ｓ２３６）において、サービス管理サーバ２０（課金情報生成部５６５）は、生成された課金情報を、課金ＩＤ及びこれに対応する客室番号等に対応付けて課金サーバ３０に送信する。
ステップ２４０（Ｓ２４０）において、課金サーバ３０は、サービス管理サーバ２０から受信した課金情報、課金ＩＤ及び客室番号等に基づいて、各ユーザのサービス利用の総額を算出し、算出されたサービス利用総額を客室番号に対応付けて宿泊施設のフロントに通知する。
【００４１】
ステップ２４４（Ｓ２４４）において、サービス管理サーバ２０は、印刷が終了した旨、及び、支払情報を携帯電話１２に送信する。
ステップ２４８（Ｓ２４８）において、携帯電話１２は、サービス管理サーバ２０から受信した情報に基づいて、図９（Ｂ）に例示するログオフ画面９８を表示する。ログオフ画面９８には、料金をフロントで支払う旨のメッセージに加えて、印刷サービスの単価、印刷枚数及び総額が列記された明細欄９８０が表示される。
【００４２】
なお、上記実施形態では、サービス管理サーバ２０、課金サーバ３０及びプリンタ４０がそれぞれ別体となった形態を説明したが、これに限定されるものではなく、例えば、サービス管理サーバ２０の機能がプリンタ４０内に設けられてもよいし、サービス管理サーバ２０の機能と課金サーバ３０の機能とが１つのサーバ装置上で実現されてもよい。
【図面の簡単な説明】
【００４３】
【図１】画像形成システム１の構成を例示する図である。
【図２】サービス管理サーバ２０（図１）により実行されるプリントサービスプログラム５の機能構成を例示する図である。
【図３】（Ａ）は、識別情報ＤＢ５１０で管理される情報を例示し、（Ｂ）は、ファイルＤＢ５５５で管理される情報を例示し、（Ｃ）は、課金サーバ３０で管理される情報を例示する図である。
【図４】ファイル登録処理（Ｓ１０）のシーケンス図である。
【図５】ファイル印刷処理（Ｓ２０）のシーケンス図である。
【図６】（Ａ）は、客室用案内パンフレット８０を例示し、（Ｂ）は、ユーザＩＤ通知画面９０を例示する図である。
【図７】（Ａ）は、ユーザＩＤ入力画面９２を例示し、（Ｂ）は、サービス案内画面９４を例示する図である。
【図８】サービス提供画面９６を例示する図である。
【図９】（Ａ）は、プリンタ案内表示８２を例示し、（Ｂ）は、ログオフ画面９８を例示する図である。
【符号の説明】
【００４４】
１・・・画像形成システム
１２・・・携帯電話
１４・・・コンピュータ端末
２０・・・サービス管理サーバ
３０・・・課金サーバ
４０・・・プリンタ
５・・・プリントサービスプログラム
５０・・・認証モジュール
５００・・・入力受付部
５０５・・・識別情報登録部
５１０・・・識別情報データベース
５１５・・・認証部
５５・・・サービス提供モジュール
５５０・・・ファイル管理部
５５５・・・ファイルデータベース
５６０・・・印刷指示部
５６５・・・課金情報生成部
【図１】
2008117183.tif 000003
【図２】
2008117183.tif 000004
【図３】
2008117183.tif 000005
【図４】
2008117183.tif 000006
【図５】
2008117183.tif 000007
【図６】
2008117183.tif 000008
【図７】
2008117183.tif 000009
【図８】
2008117183.tif 000010
【図９】
2008117183.tif 000011